(57)【要約】【課題】会合中の情報処理装置のバッテリー切れを減らし、会合の最初から最後まで情報処理装置で資料を閲覧できるようにする。【解決手段】情報処理装置はバッテリー、ディスプレイ、入力デバイス、会合の日時を定めた日時データと会合の資料のデータである資料データを記憶する記憶部、バッテリーの残量を検知する残量検知部、現在のバッテリーの残量である現残量を認識する処理部と、を備える。処理部は、会合の開始から終了まで資料データを表示した場合の現残量の減少量である消費値を求める。現残量が求めた消費値未満のとき、処理部はバッテリーの充電を促すメッセージをディスプレイに表示させる。【選択図】図６
2018117426.tif 000002
【特許請求の範囲】
【請求項１】
動作用の電源としてのバッテリーと、
ディスプレイと、
操作を行うための入力デバイスと、
会合の日時を定めた日時データと前記会合の資料のデータである資料データを記憶する記憶部と、
前記バッテリーの残量を検知する残量検知部と、
前記残量検知部の出力に基づき、現在の前記バッテリーの残量である現残量を認識する処理部と、を備え、
前記処理部は、
前記日時データに基づき、前記会合の開始から終了まで前記資料データを前記ディスプレイに表示した場合の前記現残量の減少量である消費値を求め、
前記現残量が求めた前記消費値未満のとき、前記バッテリーの充電を促すメッセージを前記ディスプレイに表示させることを特徴とする情報処理装置。
【請求項２】
前記現残量が求めた前記消費値未満の場合、
前記処理部は、
現時点から前記会合の開始時点までの残り時間を求め、
前記前記残り時間に基づき、現時点から充電を開始すれば前記会合の開始時点の前記バッテリーの残量が前記消費値以上になるか否かを確認し、
前記会合の開始時点の前記バッテリーの残量が前記消費値以上になるとき、前記バッテリーの充電を促すメッセージを前記ディスプレイに表示させ、
前記会合の開始時点の前記バッテリーの残量が前記消費値未満になるとき、前記資料データの印刷を促すメッセージを前記ディスプレイに表示させることを特徴とする請求項１に記載の情報処理装置。
【請求項３】
前記記憶部は、上昇時間を記憶し、
前記上昇時間は、前記バッテリーの残量の一定値の上昇に要する時間として予め定められた値であり、
前記処理部は、
前記残り時間を前記上昇時間で除して前記現残量の回復量を求め、
前記現残量に前記回復量を加算した値である加算値を求め、
前記加算値が前記消費値以上のとき、前記バッテリーの充電を促すメッセージを前記ディスプレイに表示させ、
前記加算値が前記消費値未満のとき、前記資料データの印刷を促すメッセージを前記ディスプレイに表示させることを特徴とする請求項２に記載の情報処理装置。
【請求項４】
前記バッテリーが満容量のときの残量よりも前記消費値が大きいとき、
前記処理部は、前記資料データの印刷を促すメッセージを前記ディスプレイに表示させることを特徴とする請求項１乃至３の何れか１項に記載の情報処理装置。
【請求項５】
画像形成装置と通信する通信部を含み、
前記処理部は、前記資料データの印刷を促すメッセージとともに、前記資料データの印刷の実行を指示するための印刷実行ボタンを前記ディスプレイに表示させ、
前記入力デバイスが前記印刷実行ボタンの操作を受け付けたとき、
前記処理部は、利用可能な画像形成装置に向けて、前記資料データを印刷するための印刷用データを前記通信部に送信させることを特徴とする請求項２乃至４の何れか１項に記載の情報処理装置。
【請求項６】
前記記憶部は、前記会合の参加者を定めた参加者データと会合場所で電力供給に使用できる電源の個数を定めた利用可能数データを記憶し、
前記処理部は、
前記電源の個数が前記会合の参加人数以上であるか否かを判定し、
前記電源の個数が前記会合の参加人数以上のとき、
前記バッテリーの充電を促すメッセージを前記ディスプレイに表示させず、前記資料データの印刷を促すメッセージを前記ディスプレイに表示させないことを特徴とする請求項１乃至５の何れか１項に記載の情報処理装置。
【請求項７】
前記処理部は、
前記記憶部に記憶される前記資料データを前記ディスプレイに表示させ、
前記バッテリーの残量の一定値の減少に要した時間を測り、
前記日時データに基づき、前記会合の開始から終了までの所要時間を認識し、
前記所要時間を測った時間で除した値を前記消費値として求めることを特徴とする請求項１乃至６の何れか１項に記載の情報処理装置。
【請求項８】
請求項１乃至７の何れか１項に記載の情報処理装置と、
画像形成装置と、を備え、
前記画像形成装置は、前記情報処理装置から受信した印刷用データに基づき印刷を行う印刷部を含むことを特徴とする画像形成システム。
【発明の詳細な説明】
【技術分野】
【０００１】
本発明は、バッテリー駆動する情報処理装置、及び、情報処理装置と画像形成装置を含む画像形成システムに関する。
【背景技術】
【０００２】
持ち運び可能な情報処理装置がある。このような情報処理装置には、ノートＰＣ、スマートフォン、タブレットコンピューターがある。これらの携帯型情報処理装置はバッテリーを含む。移動先に商用電源（コンセント）が無くても、バッテリーにより、情報処理装置を使用することができる。そして、バッテリー切れに関する技術の一例が特許文献１に記載されている。
【０００３】
具体的に、特許文献１には、モバイル端末を稼働できる時間を示す稼働可能時間をバッテリーの残量から算出し、モバイル端末の稼働を終了する時間を示す稼働終了時間を取得し、稼働終了時間と稼働可能時間とから稼働終了時間までモバイル端末を稼働できるか否かを判断し、稼働できないと判断した場合、情報を印刷可能な印刷装置を特定するモバイル端末が記載されている。つまり、特許文献１に記載の技術は、会議中にモバイル端末のバッテリーの残量に応じて会議資料を印刷させる（特許文献１：請求項１、段落［００２４］等参照）。
【先行技術文献】
【特許文献】
【０００４】
【特許文献１】特開２０１３−１５７７４４号公報
【発明の概要】
【発明が解決しようとする課題】
【０００５】
ノートＰＣ、タブレットコンピューターのような携帯型情報処理装置が普及している。近年、会議、説明会、勉強会、パーティのような会合で、携帯型の情報処理装置を活用することが増えつつある。例えば、会議を行う場合、各参加者は情報処理装置を持参する。各参加者は自己の情報処理装置でデータサーバーにアクセスする。参加者は会議資料のデータをダウンロードする。会議中、参加者は情報処理装置で会議資料を閲覧する。
【０００６】
会合中に情報処理装置のバッテリーが切れることがある。会合の時間が長いほどバッテリー切れは生じやすい。また、会合開始時のバッテリー残量が少ないほどバッテリー切れは生じやすい。さらに、情報処理装置のバッテリー劣化が進んでいるほど、バッテリー切れは生じやすい。情報処理装置がバッテリー切れ状態になったとき、情報処理装置で資料を閲覧できなくなるという問題がある。
【０００７】
ここで、特許文献１記載の技術は、会議中にバッテリー切れが発生することが前提である。バッテリー切れの前に資料を印刷するようにする。また、電源アダプターを持ち歩かないことを前提とする。会合中のバッテリー切れを防ぐことを目的としていない。会議中のバッテリー切れを防ぐための技術ではない。
【０００８】
本発明は上記従来技術の問題点に鑑み、会合中の情報処理装置のバッテリー切れを減らし、会合の最初から最後まで情報処理装置で資料を閲覧できるようにする。
【課題を解決するための手段】
【０００９】
上記課題解決のため、請求項１に係る情報処理装置は、バッテリー、ディスプレイ、入力デバイス、記憶部、残量検知部、処理部を含む。前記バッテリーは、動作用の電源である。前記入力デバイスは操作を行うためのデバイスである。前記記憶部は、会合の日時を定めた日時データと前記会合の資料のデータである資料データを記憶する。前記残量検知部は、前記バッテリーの残量を検知する。前記処理部は、前記残量検知部の出力に基づき、現在の前記バッテリーの残量である現残量を認識する。前記処理部は、前記日時データに基づき、前記会合の開始から終了まで前記資料データを前記ディスプレイに表示した場合の前記現残量の減少量である消費値を求める。前記処理部は、前記現残量が求めた前記消費値未満のとき、前記バッテリーの充電を促すメッセージを前記ディスプレイに表示させる。
【発明の効果】
【００１０】
本発明によれば、会合中の情報処理装置のバッテリー切れを減らすことができる。会合の最初から最後まで情報処理装置で資料を閲覧することができる。
【図面の簡単な説明】
【００１１】
【図１】実施形態に係る画像形成システムの一例を示す図である。
【図２】実施形態に係る画像形成装置と情報処理装置の一例を示す図である。
【図３】実施形態に係る情報処理装置のバッテリーと残量検知部の一例を示す図である。
【図４】実施形態に係る会合データの一例を示す図である。
【図５】実施形態に係る予定表の画面の一例を示す図である。
【図６】実施形態に係る情報処理装置でのバッテリー残量の確認の処理の流れの一例を示すフローチャートである。
【図７】実施形態に係る情報処理装置に表示されるメッセージの一例を示す図である。
【図８】実施形態に係る情報処理装置に表示されるメッセージの一例を示す図である。
【発明を実施するための形態】
【００１２】
以下、図１〜図８を用いて本発明の実施形態を説明する。但し、本実施の形態に記載されている構成、配置等の各要素は、発明の範囲を限定するものではなく単なる説明例にすぎない。
【００１３】
（画像形成システム１００の概要）
まず、図１を用いて、実施形態に係る画像形成システム１００の一例を説明する。図１は、実施形態に係る画像形成システム１００の一例を示す図である。
【００１４】
画像形成システム１００は、情報処理装置１と、画像形成装置２とを含む。画像形成システム１００は、情報処理装置１を少なくとも１台含む。図１では、情報処理装置１を２台示している。画像形成システム１００にサーバー３（外部記憶装置に相当）を含めてもよい。
【００１５】
情報処理装置１は、バッテリー１５を含む。情報処理装置１は、持ち運び可能（携帯可能）である。例えば、情報処理装置１は、ＰＣ（パーソナルコンピューター）、スマートフォン、タブレットコンピューターである。図１に示す情報処理装置１のうち、左側の情報処理装置１は、スマートフォンである。右側の情報処理装置１は、ノートＰＣである。画像形成装置２は、コピー機能、スキャン送信機能など複数の機能を備える。図１に示す画像形成装置２は、いわゆる複合機である。画像形成装置２は複合機以外の印刷装置でもよい。例えば、画像形成装置２は、プリンターでもよい。
【００１６】
情報処理装置１、画像形成装置２、サーバー３は相互に通信可能である。例えば、ネットワークを介して相互に通信する。また、通信は有線で行われてもよいし、無線で行われてもよい。情報処理装置１と画像形成装置２はデータをやりとりすることができる。画像形成装置２とサーバー３もデータをやりとりすることができる。情報処理装置１とサーバー３もデータをやりとりすることができる。
【００１７】
（画像形成装置２の概略）
次に、図２に基づき、実施形態に係る画像形成装置２の一例を説明する。図２は、実施形態に係る画像形成装置２と情報処理装置１の一例を示す図である。
【００１８】
図２に示すように、画像形成装置２は原稿搬送部２１と画像読取部２２を含む。画像形成装置２には操作パネル２３が設けられる。又、画像形成装置２の内部に、制御部２０、記憶部２４、印刷部２５、通信部２６が設けられる。
【００１９】
制御部２０は、原稿搬送部２１、画像読取部２２、操作パネル２３、記憶部２４、印刷部２５、通信部２６を制御する。制御部２０は、ＣＰＵ２０ａ、画像処理部２０ｂを含む。ＣＰＵ２０ａは、記憶部２４に記憶されるプログラム、ソフトウェア、データに基づき画像形成装置２の動作制御や演算処理を行う。画像処理部２０ｂは、画像データに関する処理を行う。画像処理部２０ｂは、ジョブの実行に必要な画像処理を画像データに施す。例えば、画像処理部１０は、濃度変換、拡大、縮小、画像データの形式変換のような所定の画像処理を行える。
【００２０】
記憶部２４は、ＲＯＭ、ＲＡＭ、ＨＤＤを含む。記憶部２４は、不揮発性と揮発性の記憶装置を含む。例えば、記憶部２４は、ソフトウェア、制御用のプログラム、制御用のデータ、画像データを記憶する。
【００２１】
原稿搬送部２１は、セットされた原稿を読取用コンタクトガラス（読み取り位置）に向けて搬送する。原稿搬送部２１は、原稿を１枚ずつ、連続的、自動的に搬送する。画像読取部２２は、送り読取用コンタクトガラスを通過する原稿を読み取る。また、画像読取部２２は載置読取用コンタクトガラスにセットされた原稿を読み取ることもできる。画像読取部２２は、原稿の画像データを生成する。
【００２２】
操作パネル２３は、表示パネル、タッチパネル、ハードキーを含む。表示パネルは、設定用の画面、操作用画像、メッセージなどを表示する。例えば、操作用画像は、ボタン、キー、タブである。タッチパネルは、表示パネルの上面に設けられる。タッチパネルは、表示パネルのうち、タッチされた位置を検知する。タッチパネルの出力に基づき、操作された操作用画像が認識される。
【００２３】
印刷部２５は、給紙部２７、用紙搬送部２８、画像形成部２９、定着部２１０を含む。印刷を行うとき、印刷部２５が動作する。制御部２０は、１枚ずつ用紙を給紙部２７に供給させる。制御部２０は、供給された用紙を用紙搬送部２８に搬送させる。制御部２０は、画像データに基づきトナー像を画像形成部２９に形成させる。また、制御部２０は、搬送される用紙へのトナー像の転写を画像形成部２９に行わせる。制御部２０は、用紙に転写されたトナー像の定着を定着部２１０に行わせる。制御部２０は、定着後の用紙の機外への排出を搬送部に行わせる。
【００２４】
制御部２０は、通信部２６と信号線又はバスで接続される。通信部２６は通信用回路を含む。通信部２６は、無線又は有線により、情報処理装置１やサーバー３と通信可能に接続される。通信部２６は、ネットワーク、公衆回線、又は、ケーブルを介して通信する。
【００２５】
（情報処理装置１、サーバー３）
次に、図２を用いて、実施形態に係る情報処理装置１とサーバー３の一例を説明する。
【００２６】
情報処理装置１は、処理部１０、記憶部１１、ディスプレイ１２、入力デバイス１３、通信部１４、バッテリー１５、残量検知部１６を含む。
【００２７】
処理部１０は、情報処理装置１の動作を制御する。例えば、処理部１０はＣＰＵやＳｏＣを含む基板である。また、処理部１０は、日時（年、月、日、時、分）を認識し、時間を測るタイマー１０ａを含む。記憶部１１は、揮発性の記憶装置と不揮発性の記憶装置を含む。例えば、記憶部１１は、ＲＯＭ、フラッシュメモリー１６ｄ、ＲＡＭ、ＨＤＤを含む。例えば、記憶部１１は、データ、プログラム、ソフトウェアを記憶する。処理部１０は、記憶部１１に記憶されたＯＳ、プログラム、ソフトウェア、データに基づき、情報処理装置１の動作を制御する。また、記憶部１１には、予定管理ソフトウェア１７と残量警告ソフトウェア１８がインストールされる。予定管理ソフトウェア１７と残量警告ソフトウェア１８の詳細は後述する。
【００２８】
ディスプレイ１２は、液晶パネルや有機ＥＬパネルのような表示用パネルである。処理部１０はディスプレイ１２の表示を制御する。ディスプレイ１２は、画像、画面を表示する。入力デバイス１３は、使用者の操作を受け付けるデバイスである。例えば、入力デバイス１３はタッチパネル、キーボード、マウスの何れか１つ又は複数である。他のデバイスを入力デバイス１３として用いてもよい。入力デバイス１３からの信号に基づき、処理部１０は、使用者の操作内容を認識する。入力デバイス１３からの信号に基づき、処理部１０は、操作用画像が操作されたことを認識する。操作用画像は、例えば、アイコン、ボタン、キー、タブである。使用者は、入力デバイス１３を操作して所望のソフトウェアを起動できる。処理部１０は、起動要求がなされたソフトウェアを実行する。
【００２９】
通信部１４は画像形成装置２やサーバー３と無線又は有線により通信を行う。通信部１４は通信用回路を含む。通信部１４は、無線又は有線により、画像形成装置２やサーバー３とデータを送受信する。
【００３０】
（バッテリー１５と残量検知部１６）
次に、図２、図３を用いて、実施形態に係る情報処理装置１のバッテリー１５と残量検知部１６の一例を説明する。図３は、実施形態に係る情報処理装置１のバッテリー１５と残量検知部１６の一例を示す図である。
【００３１】
図２に示すように、情報処理装置１は、電力変換回路部１９、バッテリー１５、残量検知部１６を含む。バッテリー１５は２次電池である。例えば、バッテリー１５は、リチウムイオン電池である。残量検知部１６は、バッテリー１５の残量を検知するＩＣ（電池残量計ＩＣ）である。電力変換回路部１９は、バッテリー１５及び負荷１１０と接続される。負荷１１０は、情報処理装置１内の各部分（デバイス、素子、回路）である。言い換えると、負荷１１０は電力を消費して動作する部分である。具体的に、負荷１１０は、処理部１０、記憶部１１、入力デバイス１３、ディスプレイ１２、通信部１４である。
【００３２】
情報処理装置１には、商用電源Ｐ１（コンセント）から電力を供給することが可能である。図３に示すように、商用電源Ｐ１と情報処理装置１を接続する場合、ＡＣアダプターＰ２が利用される。ＡＣアダプターＰ２は、商用電源Ｐ１の電力を整流する。ＡＣアダプターＰ２は、直流化した電力を情報処理装置１の電力変換回路に入力する。
【００３３】
電力変換回路部１９は、１又は複数のＤＣＤＣコンバーターを含む。電力変換回路部１９は、予め定められた大きさの電圧を生成する。商用電源Ｐ１（ＡＣアダプターＰ２）が接続されているとき、電力変換回路部１９は、ＡＣアダプターＰ２から入力される電力を変換する。商用電源Ｐ１が接続されているとき、電力変換回路部１９は、負荷１１０とバッテリー１５に電力を供給する。負荷１１０、バッテリー１５への電力供給元は商用電源Ｐ１である。このときバッテリー１５に電荷が蓄えられる（バッテリー１５の充電）。
【００３４】
ＡＣアダプターＰ２が接続されていないとき、電力変換回路部１９は、バッテリー１５からの電力を変換する。電力変換回路部１９は、負荷１１０に電力を供給する。負荷１１０への電力供給元はバッテリー１５である。この場合、バッテリー１５の電荷が消費される（バッテリー１５の放電）。
【００３５】
残量検知部１６は、処理回路１６ａ、電圧検知回路１６ｂ、電流検知回路１６ｃ、メモリー１６ｄ、温度センサー１６ｅ、通信インターフェイス１６ｆを含む。残量検知部１６は、ＡＣアダプターＰ２又はバッテリー１５から電力の供給を受ける。
【００３６】
処理回路１６ａは、ＣＰＵのような演算、処理を行う回路である。通信インターフェイス１６ｆにより、残量検知部１６は処理部１０と通信可能である。電圧検知回路１６ｂは、Ａ／Ｄ変換回路を含む。電流検知回路１６ｃもＡ／Ｄ変換回路を含む。電圧検知回路１６ｂの出力に基づき、処理回路１６ａは、バッテリー１５の端子間電圧を検知する。電流検知回路１６ｃは、センス抵抗Ｒ１の両端の電圧を検知する。センス抵抗Ｒ１はバッテリー１５に流れる電流の大きさを検知するための抵抗である。処理回路１６ａは、電流検知回路１６ｃの出力に基づき、バッテリー１５に流れる電流の大きさを検知する。温度センサー１６ｅは、温度を検知するためのセンサーである。処理回路１６ａは、温度センサー１６ｅの出力に基づき、環境温度を認識する。バッテリー１５近傍の温度を測ることが望ましい。そのため、残量検知部１６は、バッテリー１５の近傍に設けてもよい。
【００３７】
処理回路１６ａは、商用電源Ｐ１から電力が供給されているか否かを認識できる。例えば、ＡＣアダプターＰ２と情報処理装置１を接続する端子の電圧に基づき、処理回路１６ａは、商用電源Ｐ１から電力が供給されているか否かを認識する。ＡＣアダプターＰ２が接続されている場合、バッテリー１５が充電される。充電中、処理回路１６ａは、バッテリー１５の端子間電圧を監視する。バッテリー１５の端子間電圧が予め定められた充電終止電圧（最大電圧）になったとき、処理回路１６ａは、バッテリー１５が満容量まで充電されたと判定してもよい。満容量まで充電されたとき、過充電を防ぐため、処理回路１６ａは、バッテリー１５に対して設けられたスイッチ１６ｇをＯＦＦする。スイッチ１６ｇＯＦＦにより、バッテリー１５は充電されない状態となる。
【００３８】
ＡＣアダプターＰ２が接続されていない場合、バッテリー１５から電力が負荷１１０に供給される（放電）。このとき、処理回路１６ａはスイッチ１６ｇをＯＮ状態とする。放電中、処理回路１６ａは、バッテリー１５の端子間電圧を監視する。バッテリー１５の端子間電圧が予め定められた放電終止電圧（最小電圧）になったとき、処理回路１６ａは、バッテリー１５の残量がゼロになったと判定してもよい。残量がゼロになった場合、過放電を防ぐため、スイッチ１６ｇはＯＦＦ状態となる。スイッチ１６ｇＯＦＦにより、電力がバッテリー１５から負荷１１０に供給されない状態となる。
【００３９】
処理回路１６ａは、電流、電圧、温度の情報と、メモリー１６ｄに格納されたデータに基づき、バッテリー１５の残量（電荷の残量）を検知（推定）する。例えば、処理回路１６ａは、バッテリー１５の抵抗（インピーダンス）に基づき、バッテリー１５の残量を検知する。バッテリー１５は、劣化が進むとインピーダンスが高くなる。劣化が進むと、蓄えられる電荷量が少なくなる。また、放電電流の大きさや環境温度により、バッテリー１５のインピーダンスが変わる。
【００４０】
メモリー１６ｄは、インピーダンスに応じたデータを記憶する。処理回路１６ａは、バッテリー１５のインピーダンスを測る。処理回路１６ａは、測ったインピーダンスとメモリー１６ｄのデータに基づき、満充電時容量（蓄えられる電荷量の最大値）を定める。また、メモリー１６ｄは、温度に応じたデータを記憶する。また、メモリー１６ｄは放電電流の大きさに応じたデータを記憶する。例えば、処理回路１６ａは、温度センサー１６ｅの出力に基づき、環境温度を認識する。また、処理回路１６ａは、電流検知回路１６ｃの出力に基づき、放電電流の大きさを認識する。処理回路１６ａは、メモリー１６ｄのデータと、認識した環境温度と、放電電流の大きさに基づき、放電終止電圧を定める。これにより、環境温度、放電電流の大きさに応じ、処理回路１６ａは、放電終止電圧時にバッテリー１５に残る電荷量をほぼ一定にする。
【００４１】
アダプターが接続されていない場合、処理回路１６ａは、バッテリー１５から流出した電流の大きさと時間に基づき、流出電流積算値を求める。流出電流積算値は、バッテリー１５から流出した電流量の合計である。流出電流積算値はメモリー１６ｄに記憶される。処理回路１６ａは、流出電流積算値を随時更新する。例えば、処理回路１６ａは、１から流出電流積算値を満充電時容量で除した値を減じて残量を求める。あるいは、メモリー１６ｄが流出電流積算値に対応する残量を定義したデータを記憶してもよい。この場合、処理回路１６ａは、データと流出電流積算値を参照して残量を求める。
【００４２】
処理回路１６ａは、残量を比率で求める。処理回路１６ａが検知した残量は、処理部１０に送信される。処理部１０は、残量検知部１６の出力に基づき、バッテリー１５の残量を認識する。処理部１０は、バッテリー１５の残量をディスプレイ１２に表示させてもよい。なお、アダプターが接続された場合、処理回路１６ａは、バッテリー１５に入力される電流の大きさと時間に基づき、流出電流積算値を減算する。また、バッテリー１５が満充電されたとき、処理回路１６ａは、流出電流積算値をゼロにリセットしてもよい。
【００４３】
（会合の登録）
次に、図４、図５を用いて、実施形態に係る会合の登録の一例を説明する。図４は、実施形態に係る会合データ５の一例を示す図である。図５は、実施形態に係る予定表４１の画面の一例を示す図である。
【００４４】
予定管理ソフトウェア１７は、情報処理装置１の記憶部１１にインストールされる。入力デバイス１３が予定管理ソフトウェア１７の起動を指示する操作を受け付けたとき、処理部１０は予定管理ソフトウェア１７を起動させる。起動後、使用者は、予定管理ソフトウェア１７を用いて、予定を登録できる。予定として、会合を登録することができる。
【００４５】
図５は、予定管理ソフトウェア１７を起動したときにディスプレイ１２に表示される予定表画面４の一例である。図５は、１週間分の予定表４１を表示させた状態を示す。予定表画面４の最上段に予定表４１を表示させる単位を選択するための単位選択キーＫ１が設けられる。単位選択キーＫ１を操作することにより、１日単位の予定表４１、１週間単位の予定表４１、又は、１月単位の予定表４１を表示させることができる。図５は、１２月１日〜１２月５日分の予定表４１を表示した状態を示している。
【００４６】
また、図５は、３人分の予定表４１を表示した状態を示している。図５のうち、最も左側の予定表４１が使用者自身の予定表４１である。使用者自身の予定表４１の右側２つの予定表４１が他人の予定表４１である。各使用者の予定表４１を共有することにより、予定管理ソフトウェア１７で他人の予定表４１を閲覧することができる。予定表４１を共有する設定操作が入力デバイス１３になされたとき、予定表４１が共有される。入力デバイス１３を操作し、別の共有された予定表４１を表示させることもできる。
【００４７】
予定表４１には、予定を書き込むことができる。使用者は、書類の作成期限のような予定を登録することができる。また、複数人が参加する会合（会合型の予定）を予定表４１に登録することができる。
【００４８】
会合型の予定を登録するとき、使用者は、会合の日時（会合の年月日、開始時間、終了時間）、会合名、参加者、会合場所、会合場所で電力供給に使用できる電源の個数を入力デバイス１３に入力する。なお、設定した会合場所に対応する電源の個数を定めたデータが別途用意されてもよい。処理部１０はテーブルを参照し、入力された会合場所に応じた電源の個数を自動的に決定してもよい。会合型の予定の登録に伴い、処理部１０は、会合名データ５１、日時データ５２、資料データ５３、参加者データ５４、会合場所データ５５、利用可能数データ５６を含む会合データ５を記憶部１１やサーバー３に記憶させる（図４参照）。なお、会合の登録者は、参加者の情報処理装置１に直接会合データ５を送信してもよい。つまり、情報処理装置１は、サーバー３を介さずに会合データ５をやりとりしてもよい。
【００４９】
会合名データ５１は入力された会合名を示すデータである。日時データ５２は、入力された会合の日時を示すデータである。参加者データ５４は入力された参加者を示すデータである。会合場所データ５５は、入力された会合場所を示すデータである。利用可能数データ５６は、入力された又は自動的に決定された電源の個数を示すデータである。
【００５０】
会合型の予定を登録するとき、会合に用いる資料データ５３を指定することができる。例えば、資料データ５３は、各種ソフトウェアで作成されたデータ（ファイル）である。例えば、資料データ５３を作成するソフトウェアとしては、プレゼンテーション用ソフトウェア、文書作成ソフトウェア、表計算ソフトウェア、又は、画像編集ソフトウェアがある。処理部１０は、入力デバイス１３で指定する操作がなされた資料データ５３を会合データ５に含める。なお、サーバー３の会合データ５には、後日、資料データ５３を追加することができる。また、サーバー３の会合データ５の資料データ５３を差し替えることもできる。
【００５１】
また、処理部１０は、登録された予定に対応する帯画像４２を予定表４１内に表示させる。具体的に、処理部１０は、予定表４１のうち、登録された予定の日時に対応する部分に帯画像４２を表示させる。処理部１０は、登録された会合型の予定の会合名を帯画像４２内に表示させる。例えば、図５では、各者の予定表４１の１２／１の１４：００〜１７：００に、「◎◎会議」の予定が登録されている。なお、本説明では、同様の予定管理ソフトウェア１７が会合の各参加者が所持する各情報処理装置１にインストールされている場合を想定している。
【００５２】
サーバー３は情報処理装置１から受信した会合データ５を記憶する。サーバー３は、会合ごとに、会合データ５を記憶する。会合の登録者以外の参加者は、会合データ５の取得操作（ダウンロード操作）を自己の情報処理装置１の入力デバイス１３に行う。取得操作がなされたとき、処理部１０は、会合データ５を通信部１４に取得させる。また、サーバー３が参加者に対応する情報処理装置１に会合データ５を自動的に送信してもよい。情報処理装置１が取得した会合データ５は、その情報処理装置１の記憶部１１に不揮発的に記憶される。会合データ５を取得した情報処理装置１の処理部１０は、予定表４１に取得した会合データ５に対応する帯画像４２を予定表４１内に表示させる。
【００５３】
（バッテリー１５の残量の確認処理）
次に、図６〜図８を用いて、実施形態に係る情報処理装置１でのバッテリー１５の残量の確認の処理の流れの一例を説明する。図６は、実施形態に係る情報処理装置１でのバッテリー１５の残量の確認処理の流れの一例を示すフローチャートである。図７、図８は、実施形態に係る情報処理装置１に表示されるメッセージの一例を示す図である。
【００５４】
会議のような会合では、資料が用いられることがある。資料データ５３はサーバー３に記憶される。そのため、会合の参加者は、サーバー３から取得した資料データ５３を情報処理装置１に記憶させることができる。資料を自分の情報処理装置１で閲覧しながら会議に参加することが可能である。
【００５５】
しかし、情報処理装置１のバッテリー１５の残量が少ないほど、会合の途中で情報処理装置１のバッテリー切れが生ずる可能性が高くなる。情報処理装置１のバッテリー切れが生じた場合、情報処理装置１で資料を閲覧できなくなる。資料の閲覧ができなくなると、会合での話し合い、説明を理解し辛くなる。会合中に情報処理装置１のバッテリー切れが生ずると不便である。
【００５６】
そこで、情報処理装置１には、残量警告ソフトウェア１８がインストールされる（図１、図４参照）。残量警告ソフトウェア１８は、会合の参加者が所持する各情報処理装置１にインストールされる。残量警告ソフトウェア１８に基づき、処理部１０は、確認処理を行う。確認処理では、処理部１０は、現在のバッテリー１５の残量で会合の最初から最後まで情報処理装置１で資料を閲覧できるか否かを確認する。
【００５７】
以下、図６を用いて、残量警告ソフトウェア１８に基づく確認処理の流れの一例を説明する。図６のスタートは、残量警告ソフトウェア１８が起動した時点である。例えば、入力デバイス１３を用いて残量警告ソフトウェア１８の起動操作がなされたとき、処理部１０は、残量警告ソフトウェア１８を起動させる。また、処理部１０は、情報処理装置１の起動時に自動的に残量警告ソフトウェア１８を起動させてもよい。あるいは、処理部１０は、予定管理ソフトウェア１７の起動時に自動的に残量警告ソフトウェア１８を起動させてもよい。
【００５８】
また、残量警告ソフトウェア１８が終了されず動作し続けた場合（常駐状態の場合）もある。この場合、先に確認処理（図６のフローチャート）の実行から所定時間が経過したとき、処理部１０は、再度、確認処理を実行してもよい。言い換えると、処理部１０は周期的に確認処理を実行してもよい。所定時間は適宜定めることができる。例えば、数分〜数時間の範囲内で所定時間を定めることができる。入力デバイス１３は、所定時間の設定を受け付ける。設定された所定時間は、記憶部１１に記憶される。
【００５９】
まず、処理部１０は、現時点から予め定められた確認時間Ｔ１までの間に開始される会合があるか否かを判定する（ステップ♯１）。開催までの時間が十分にあるとき、情報処理装置１のバッテリー１５の残量を確認する必要性は少ないためである。確認時間Ｔ１は、適宜定めることができる。例えば、確認時間Ｔ１は、数時間〜２４時間以内の時間とすることができる。入力デバイス１３は、確認時間Ｔ１の設定を受け付けてもよい。また、処理部１０は、バッテリー切れから満容量までバッテリー１５を充電するのに必要な時間を計測してもよい。処理部１０は、計測した時間又は計測した時間に所定のマージンを加えた時間を確認時間Ｔ１に設定してもよい。設定された確認時間Ｔ１は、記憶部１１に記憶される。処理部１０は、設定された確認時間Ｔ１に基づき判定する。
【００６０】
なお、現時点から確認時間Ｔ１までの間に開始される会合が複数ある場合、処理部１０は、直近の会合を選択する。処理部１０は選択した会合を対象に以下の処理を行う。
【００６１】
現時点から確認時間Ｔ１までの間に開始される会合がないとき（ステップ♯１のＮｏ）、本フローは終了する（エンド）。使用者に対するメッセージを表示する必要性はないためである。現時点から確認時間Ｔ１までの間に開始される会合があるとき（ステップ♯１のＹｅｓ）、処理部１０は、現時点から確認時間Ｔ１までの間に開始される会合に対応する会合データ５を確認する（ステップ♯２）。なお、当該取得できていないデータや更新されたデータがある場合、処理部１０は、サーバー３から最新の会合データ５を通信部１４に取得させる。処理部１０は取得した最新の会合データ５を記憶部１１に記憶させる。
【００６２】
処理部１０は、会合データ５に含まれる参加者データ５４と利用可能数データ５６に基づき、参加者の人数が電源の個数以下であるか否かを判定する（ステップ♯３）。言い換えると、処理部１０は、会合中にＡＣアダプターＰ２を使用できるか否かを確認する。参加者の人数が電源の個数以下である場合、確実にコンセント（ＡＣアダプターＰ２）を使用できる。コンセントを使用できれば、会合中の情報処理装置１のバッテリー切れを気にしなくてすむ。
【００６３】
参加者人数が電源の個数を超えているとき（ステップ♯３のＮｏ）、処理部１０は、現在のバッテリー１５の残量である現残量を認識する（ステップ♯４）。処理部１０は、残量検知部１６の出力に基づき現残量を認識する。例えば、残量検知部１６が残量を８０％と検知した場合、処理部１０はバッテリー１５の現残量（残量値）が８０％と認識する。
【００６４】
次に、処理部１０は、日時データ５２に基づき、会合の開始から終了まで資料データ５３をディスプレイ１２に表示した場合（閲覧した場合）の残量値の減少量である消費値を求める（ステップ♯５）。例えば、記憶部１１は、資料データ５３をディスプレイ１２に表示させたとき、バッテリー１５の残量が一定割合減少する時間（減少時間Ｔ２）を記憶する（図４参照）。例えば、一定割合は１％である。
【００６５】
減少時間Ｔ２は、予め定められた時間（固定された時間）としてもよい。また、実際に資料データ５３をディスプレイ１２に表示したときの実測値に基づき、減少時間Ｔ２を定めてもよい。この場合、処理部１０は、サーバー３から取得した資料データ５３をディスプレイ１２に表示させる。そして、処理部１０（タイマー１０ａ）は、資料データ５３を表示した状態でバッテリー１５の残量値が１％減少する時間を測る。処理部１０は、実測時間を減少時間Ｔ２として記憶部１１に記憶させてもよい。
【００６６】
また、処理部１０は、日時データ５２に基づき、会合の開始から終了までの所要時間を認識する。処理部１０は所要時間を減少時間Ｔ２で除した値を消費値として求める。例えば、所要時間が２時間（１２０分）、減少時間Ｔ２が４分である場合、処理部１０は、１２０÷４＝３０［％］を消費値として求める。
【００６７】
次に、処理部１０は、求めた消費値が満充電時の残量値よりも大きいか否かを確認する（ステップ♯６）。言い換えると、処理部１０は消費値が１００より大きいか否かを確認する。つまり、処理部１０は、満充電しても会合中にバッテリー切れが生ずるか否かを判定する。
【００６８】
消費値がバッテリー１５の満充電時の残量値よりも大きいとき（ステップ♯６のＹｅｓ）、処理部１０は、資料データ５３の印刷を促すメッセージをディスプレイ１２に表示させる（ステップ♯７→エンド）。図７は、資料データ５３の印刷を促すメッセージの表示例である。例えば、メッセージは、ポップアップ画像４３（ウィンドウ）内に配される。また、図７に示すように、ポップアップ画像４３には、会合中にバッテリー切れが生ずることを知らせるメッセージを含めても良い。
【００６９】
また、図７に示すように、処理部１０は、印刷実行ボタン４４をディスプレイ１２に表示させてもよい。印刷実行ボタン４４もポップアップ画像４３内に表示される。印刷実行ボタン４４は、資料データ５３の印刷の実行を指示するためのボタンである。入力デバイス１３が印刷実行ボタン４４の操作を受け付けたとき、処理部１０は、印刷設定画面（不図示）をディスプレイ１２に表示させる。印刷設定画面にて、入力デバイス１３は、用紙サイズのような印刷設定を受け付ける。処理部１０は、資料データ５３を印刷するための印刷用データを生成する。印刷用データは、資料データ５３の内容を示すデータや、印刷設定データを含む。例えば、資料データ５３の内容を示すデータは、ページ記述言語で記述されたデータである。印刷設定データは、印刷設定画面でなされた設定内容を示すデータである。処理部１０は、利用（通信）可能な画像形成装置２（通信部２６）に向けて、印刷用データを通信部１４に送信させる。画像形成装置２の制御部２０は、受信した印刷用データに基づき、資料を印刷部２５に印刷させる。
【００７０】
消費値がバッテリー１５の満充電時の残量値以下のとき（ステップ♯６のＮｏ）、処理部１０は、求めた現残量が消費値以上であるか否かを確認する（ステップ♯８）。言い換えると、処理部１０は、現時点のバッテリー１５の残量で会合の最後から最後まで資料を閲覧できるか否かを確認する。
【００７１】
求めた現残量が消費値未満のとき（ステップ♯８のＮｏ）、処理部１０は、現時点から会合の開始時点までの残り時間を求める（ステップ♯９）。そして、処理部１０は、残量値の回復量を求める（ステップ♯１０）。回復量は、現時点から会合開始時点まで充電したときの残量値の増加量の推定値である。
【００７２】
例えば、記憶部１１は、充電したとき（ＡＣアダプターＰ２を接続したとき）、残量の一定値の上昇に要する時間（上昇時間Ｔ３）を記憶する（図４参照）。例えば、一定値は１％である。上昇時間Ｔ３は、予め定められた時間（固定された時間）でもよい。また、処理部１０（タイマー１０ａ）は、実際に充電したときに残量が１％回復するのに要した時間を実測してもよい。そして、実測した時間を上昇時間Ｔ３に設定してもよい。処理部１０は、残り時間を上昇時間Ｔ３で除して回復量を求める。例えば、残り時間が２時間（１２０分）、上昇時間Ｔ３が２．５分である場合、処理部１０は、１２０÷２．５＝４８［％］を回復量として求める。
【００７３】
次に、処理部１０は、回復量と現残量を加算した値（加算値）が消費値以上であるか否かを確認する（ステップ♯１１）。言い換えると、処理部１０は、現時点から充電を開始すれば会合の開始時点の残量が消費値以上になるか否かを判定する。
【００７４】
加算値が消費値未満のとき（ステップ♯１１のＮｏ）、今から充電しても、会合中にバッテリー切れが生ずる可能性が高い。そこで、加算値が消費値未満のとき（ステップ♯１１のＮｏ）、処理部１０は、資料データ５３の印刷を促すメッセージをディスプレイ１２に表示させる（ステップ♯７→エンド）。
【００７５】
一方、加算値が消費値以上のとき（ステップ♯１１のＹｅｓ）、今から充電すれば、会合中のバッテリー切れを防げる可能性が高い。そこで、加算値が消費値以上のとき（ステップ♯１１のＹｅｓ）、処理部１０は、バッテリー１５の充電を促すメッセージをディスプレイ１２に表示させる（ステップ♯１２→エンド）。
【００７６】
図８は、バッテリー１５の充電を促すメッセージの表示例である。例えば、メッセージは、ポップアップ画像４５（ウィンドウ）内に配される。また、図８に示すように、ポップアップ画像４３には、充電を開始しなければ会合中にバッテリー切れが生ずることを知らせるメッセージを含めても良い。
【００７７】
なお、参加者人数が電源の個数以下であるとき（ステップ♯３のＹｅｓ）、及び、求めた現残量が消費値以上であるとき（ステップ♯８のＹｅｓ）。本フローは終了する（エンド）。これらの場合、メッセージを表示する必要性が少ない。処理部１０は、バッテリー１５の充電を促すメッセージをディスプレイ１２に表示させない。また、処理部１０は、資料データ５３の印刷を促すメッセージもディスプレイ１２に表示させない。
【００７８】
このようにして、実施形態に係る情報処理装置１は、実施形態に係る情報処理装置１は、バッテリー１５、ディスプレイ１２、入力デバイス１３、記憶部１１、残量検知部１６、処理部１０を含む。バッテリー１５は、動作用の電源である。入力デバイス１３は操作を行うためのデバイスである。記憶部１１は、会合の日時を定めた日時データ５２と会合の資料のデータである資料データ５３を記憶する。残量検知部１６は、バッテリー１５の残量を検知する。処理部１０は、残量検知部１６の出力に基づき、現在のバッテリー１５の残量である現残量を認識する。処理部１０は、日時データ５２に基づき、会合の開始から終了まで資料データ５３をディスプレイ１２に表示した場合の現残量の減少量である消費値を求める。処理部１０は、現残量が求めた消費値未満のとき、バッテリー１５の充電を促すメッセージをディスプレイ１２に表示させる。
【００７９】
これにより、会合中の情報処理装置１のバッテリー切れを防ぐことができる。会合の最初から最後まで資料をディスプレイ１２に表示させてもバッテリー切れが生じない。つまり、情報処理装置１のバッテリー１５の残量を、会合中にバッテリー切れが生じないレベルで保つことができる。従って、会合の最初から最後まで資料を情報処理装置１で閲覧し続けることができる。また、会合中にバッテリー切れが生ずる場合、資料の印刷が必要である。会合中のバッテリー切れを減らすので、資料の印刷枚数を減らすこともできる。
【００８０】
また、現残量が求めた消費値未満の場合、処理部１０は、現時点から会合の開始時点までの残り時間を求める。処理部１０は、残り時間に基づき、現時点から充電を開始すれば会合の開始時点のバッテリー１５の残量が消費値以上になるか否かを確認する。会合の開始時点のバッテリー１５の残量が消費値以上になるとき、処理部１０はバッテリー１５の充電を促すメッセージをディスプレイ１２に表示させる。会合の開始時点のバッテリー１５の残量が消費値未満になるとき、処理部１０は、資料データ５３の印刷を促すメッセージをディスプレイ１２に表示させる。これにより、今から充電すれば会合中のバッテリー切れを防げる場合、使用者にバッテリー１５の充電を促すことができる。これにより、会合中の情報処理装置１のバッテリー切れを防ぐには充電が必要であることを知らせることができる。今から充電しても間に合わない場合には、使用者に資料の印刷を促すことができる。従って、会合中に必ず資料を見られるようにすることができる。また、会合中にバッテリー切れが生ずる場合のみ、資料の印刷を促す。資料の印刷枚数を必要最低限とすることができる。
【００８１】
記憶部１１は、上昇時間Ｔ３を記憶する。上昇時間Ｔ３は、バッテリー１５の残量の一定値の上昇に要する時間として予め定められた値である。処理部１０は、残り時間を上昇時間Ｔ３で除して現残量の回復量を求める。処理部１０は現残量に回復量を加算した値である加算値を求める。加算値が消費値以上のとき、処理部１０はバッテリー１５の充電を促すメッセージをディスプレイ１２に表示させる。加算値が消費値未満のとき、処理部１０は資料データ５３の印刷を促すメッセージをディスプレイ１２に表示させる。これにより、会合の開始までに充電が間に合うか否かを正確に判定することができる。充電すべきか、又は、資料を印刷すべきかについて、正確な情報を使用者に伝えることができる。
【００８２】
また、バッテリー１５が満容量のときよりも消費値が大きいとき、処理部１０は、資料データ５３の印刷を促すメッセージをディスプレイ１２に表示させる。これにより、満容量でも会合中の資料閲覧でバッテリー切れが生ずる場合、資料の印刷を使用者に促すことができる。
【００８３】
また、情報処理装置１は画像形成装置２と通信する通信部１４を含む。処理部１０は、資料データ５３の印刷を促すメッセージとともに、資料データ５３の印刷の実行を指示するための印刷実行ボタン４４をディスプレイ１２に表示させる。入力デバイス１３が印刷実行ボタン４４の操作を受け付けたとき、処理部１０は、利用可能な画像形成装置２に向けて、資料データ５３を印刷するための印刷用データを通信部１４に送信させる。これにより、印刷実行ボタン４４を操作するだけで、資料を印刷することができる。
【００８４】
充電しつつ情報処理装置１が利用できる場合、バッテリー１５の充電や資料データ５３の印刷は不要である。そこで、記憶部１１は、会合の参加者を定めた参加者データ５４と会合場所で電力供給に使用できる電源の個数を定めた利用可能数データ５６を記憶する。処理部１０は、電源の個数が会合の参加人数以上であるか否かを判定する。電源の個数が会合の参加人数以上のとき、バッテリー１５の充電を促すメッセージをディスプレイ１２に表示させず、資料データ５３の印刷を促すメッセージをディスプレイ１２に表示させない。これにより、不要なメッセージを表示しないようにすることができる。
【００８５】
また、処理部１０は、記憶部１１に記憶される資料データ５３をディスプレイ１２に表示させる。処理部１０はバッテリー１５の残量の一定値の減少に要した時間を測る。処理部１０は日時データ５２に基づき、会合の開始から終了までの所要時間を認識する。処理部１０は所要時間を測った時間で除した値を消費値として求める。これにより、会合の最初から最後まで資料を表示させたときの消費値を正確に求めることができる。今から充電すれば会合中のバッテリー切れを防げるか否かを正確に判定することができる。
【００８６】
本発明は、画像形成システム１００の発明としても捉えることができる。画像形成システム１００は、上述の情報処理装置１と画像形成装置２を備える。画像形成装置２は、情報処理装置１から受信した印刷用データに基づき印刷を行う印刷部２５を含む。これにより、会合の最後まで資料を閲覧し続けることができる画像形成システム１００を提供することができる。また、会合中に情報処理装置１のバッテリー切れを減らすので、資料の印刷枚数が少ない画像形成システム１００を提供することができる。
【００８７】
本発明の実施形態を説明したが、本発明の範囲はこれに限定されるものではなく、発明の主旨を逸脱しない範囲で種々の変更を加えて実施することができる。
【産業上の利用可能性】
【００８８】
本発明は、情報処理装置に使用可能である。また、情報処理装置、画像形成装置を含む画像形成システムに使用可能である。
【符号の説明】
【００８９】
１００  画像形成システム                １      情報処理装置
１０    処理部                          １１    記憶部
１２    ディスプレイ                    １３    入力デバイス
１４    通信部                          １５    バッテリー
１６    残量検知部                      ４４    印刷実行ボタン
５２    日時データ                      ５３    資料データ
５４    参加者データ                    ５６    利用可能数データ
２      画像形成装置                    Ｔ３    上昇時間
【図１】
2018117426.tif 000003
【図２】
2018117426.tif 000004
【図３】
2018117426.tif 000005
【図４】
2018117426.tif 000006
【図５】
2018117426.tif 000007
【図６】
2018117426.tif 000008
【図７】
2018117426.tif 000009
【図８】
2018117426.tif 000010